(57)【要約】【課題】付加情報の有無をユーザに認識させつつ、操作性の高い情報処理装置を提供することを課題とする。【解決手段】情報処理装置１であって、コンテンツデータを取得する取得手段１２と、付加情報が付加されているか否かを検出する検出手段１４と、付加案内を通知すると共に確認実績の通知を要求する第一要求手段１１と、確認実績を記憶する第一記憶手段９と、第一要求手段１１を制御する第一制御手段８と、を備え、第一記憶手段９が確認実績を記憶していない状態で検出手段１４が付加情報有りを検出すると、第一制御手段８は、付加案内を通知し、確認実績の通知を要求するように第一要求手段１１を制御し、第一記憶手段９は、確認実績が通知されたら確認実績を記憶し、第一記憶手段９が確認実績を記憶している状態で検出手段１４が付加情報有りを検出すると、第一制御手段８は、付加案内を通知しないように第一要求手段１１を制御する。【選択図】図３
2008271209.tif 000002
【特許請求の範囲】
【請求項１】
コンテンツデータを取得する取得手段と、
前記取得手段が取得した前記コンテンツデータに付加情報が付加されているか否かを検出する検出手段と、
付加情報を検出した旨の付加案内をユーザに通知すると共に、該付加案内を確認したことの通知である確認実績の通知を該ユーザに要求する第一要求手段と、
前記確認実績を記憶する第一記憶手段と、
前記第一要求手段を制御する第一制御手段と、を備え、
前記第一記憶手段が前記確認実績を記憶していない状態で前記検出手段が前記付加情報有りを検出すると、
前記第一制御手段は、前記付加案内を通知し、前記確認実績の通知を要求するように前記第一要求手段を制御し、
前記第一記憶手段は、前記ユーザから前記確認実績が通知されたら該確認実績を記憶し、
前記第一記憶手段が前記確認実績を記憶している状態で前記検出手段が前記付加情報有りを検出すると、
前記第一制御手段は、前記付加案内を通知しないように前記第一要求手段を制御する、
情報処理装置。
【請求項２】
前記第一記憶手段は、前記確認実績を記憶している状態で前記取得手段による前記コンテンツデータの取得がユーザ操作によって停止されると、記憶している該確認実績を消去する、
請求項１に記載の情報処理装置。
【請求項３】
前記検出手段が前記付加情報有りを検出すると、付加情報を検出した旨を前記ユーザに音声で案内する音声案内手段を更に備え、
前記第一要求手段は、前記付加案内を画面表示で前記ユーザに通知する、
請求項１または２に記載の情報処理装置。
【請求項４】
前記付加情報の提供が可能である旨の提供案内を前記ユーザに通知すると共に、該付加情報の提供要求の通知を該ユーザに要求する第二要求手段と、
前記提供要求を記憶する第二記憶手段と、
前記第二要求手段を制御する第二制御手段と、
前記付加情報を前記ユーザに提供する提供手段と、を更に備え、
前記第二記憶手段が前記提供要求を記憶していない状態で前記検出手段が前記付加情報有りを検出すると、
前記第二制御手段は、前記提供案内を通知し、前記提供要求の通知を要求するように前記第二要求手段を制御し、
前記第二記憶手段は、前記ユーザから前記提供要求が通知されたら該提供要求を記憶し、
前記提供手段は、前記ユーザから前記提供要求が通知されたら前記付加情報を提供し、
前記第二記憶手段が前記提供要求を記憶している状態で前記検出手段が前記付加情報有りを検出すると、
前記第二制御手段は、前記提供案内を通知しないように前記第二要求手段を制御し、
前記提供手段は、前記付加情報を提供する、
請求項１から３の何れかに記載の情報処理装置。
【請求項５】
前記第二記憶手段は、前記提供要求を記憶している状態で前記取得手段による前記コンテンツデータの取得がユーザ操作によって停止されると、記憶している該提供要求を消去する、
請求項４に記載の情報処理装置。
【請求項６】
前記コンテンツデータは、放送局から送信される放送番組の映像音声データであり、
前記付加情報は、前記放送番組に付加されたデータ放送の情報である、
請求項１から５の何れかに記載の情報処理装置。
【発明の詳細な説明】
【技術分野】
【０００１】
本発明は、情報処理装置に関する。
【背景技術】
【０００２】
近年、情報技術の発達に伴い、流通する情報量が増加傾向にある。多くの情報を一つの画面で表示可能なようにするため、ユーザからの操作を受け付けて情報を選択的に表示する技術の開発が行われている。
【０００３】
例えば、特許文献１には、データ放送番組を受信している際にチャンネル選択操作を無効化することで、チャンネル選択キーの誤操作を防ぐチャンネルロックキーの操作を不要にする技術が記載されている。また、特許文献２には、デジタル放送を受信しているチャンネルからデータ放送を取得すると、このデータ放送の表示非表示の要求をタッチパネル操作で受け付けることで、リモコン操作よりも操作を容易にする技術が記載されている。また、特許文献３には、カーナビゲーションシステムであって、車の進路上に存在する地域の名称等を索出し、この地域に関係のある内容の情報を放送しているデジタル放送を受信して表示することで、ユーザの運転環境を快適にする技術が記載されている。また、特許文献４には、チャンネルを選局する際、現在見ているチャンネルの画面とは別に選局に必要な画面を新たに割り当てることで、現在見ている番組を見ながら選局することを可能にする技術が記載されている。
【特許文献１】特開２００４−１４０６４９号公報
【特許文献２】特開２００３−２３００６６号公報
【特許文献３】特開２００２−１４８０５７号公報
【特許文献４】特開平１１−１２２５５５号公報
【発明の開示】
【発明が解決しようとする課題】
【０００４】
上述した従来技術によれば、データ放送等の副次的な付加情報を受信する度、付加情報を取得した旨の案内画面や、表示非表示の設定を要求する画面が表示されるので操作が煩わしい。そこで、本発明は、付加情報の有無をユーザに認識させつつ、操作性の高い情報処理装置を提供することを課題とする。
【課題を解決するための手段】
【０００５】
本発明は、上記課題を解決するため、付加情報を検出したことをユーザが確認したらこれを記憶し、この記憶が保持されている間、付加情報を新たに検出してもこれを通知しないようにする。
【０００６】
詳細には、情報処理装置であって、コンテンツデータを取得する取得手段と、前記取得手段が取得した前記コンテンツデータに付加情報が付加されているか否かを検出する検出手段と、付加情報を検出した旨の付加案内をユーザに通知すると共に、該付加案内を確認したことの通知である確認実績の通知を該ユーザに要求する第一要求手段と、前記確認実績を記憶する第一記憶手段と、前記第一要求手段を制御する第一制御手段と、を備え、前記第一記憶手段が前記確認実績を記憶していない状態で前記検出手段が前記付加情報有りを検出すると、前記第一制御手段は、前記付加案内を通知し、前記確認実績の通知を要求するように前記第一要求手段を制御し、前記第一記憶手段は、前記ユーザから前記確認実績が通知されたら該確認実績を記憶し、前記第一記憶手段が前記確認実績を記憶している状態で前記検出手段が前記付加情報有りを検出すると、前記第一制御手段は、前記付加案内を通知しないように前記第一要求手段を制御する。
【０００７】
上記情報処理装置が取得するコンテンツデータには、付加的な付加情報が付随している場合があることを前提としている。上記情報処理装置は、この付加情報がコンテンツデータに付加されているか否かを検出するための検出手段を備えている。これにより、付加情報の有無が検出できる。なお、付加情報とは、コンテンツデータに付加されてユーザに提供される情報であり、例えば、コンテンツデータの内容を補足する情報や該コンテンツデータを表示させる際の操作方法等の情報である。
【０００８】
第一要求手段は、コンテンツデータに付加情報が付加されていることをユーザに通知し、これに対する応答（確認実績）を要求する。第一要求手段は、第一制御手段によって制御される。第一記憶手段は、ユーザから確認実績が通知されたら、これを記憶する。
【０００９】
ここで、第一制御手段は、第一記憶手段に確認実績が記憶されていたら、付加情報を検出してもこれをユーザに通知しないように第一要求手段を制御する。これにより、第一記憶手段に確認実績が記憶されている間、ユーザに対する付加案内の通知が停止される。
【００１０】
以上、本発明によれば、付加情報の有無をユーザに認識させつつ、操作性を高める情報処理装置を提供することが可能になる。
【００１１】
ここで、前記第一記憶手段は、前記確認実績を記憶している状態で前記取得手段による前記コンテンツデータの取得がユーザ操作によって停止されると、記憶している該確認実績を消去するようにしてもよい。
【００１２】
ユーザの操作によってコンテンツデータの取得が一旦停止され、再びコンテンツデータの取得が開始されたような場合、ユーザが付加情報の有無を忘れていることが考えられる。このような場合、コンテンツデータに付加情報が付加されていても、この付加情報の有無がユーザに認識されず、情報が有効活用されない。そこで、コンテンツデータの取得が停止されたら確認実績を消去する。これにより、コンテンツデータの取得が再び開始された場合に、付加情報の存在を再確認することが可能になる。
【００１３】
ここで、上記情報処理装置は、前記検出手段が前記付加情報有りを検出すると、付加情報を検出した旨を前記ユーザに音声で案内する音声案内手段を更に備え、前記第一要求手段は、前記付加案内を画面表示で前記ユーザに通知するようにしてもよい。
【００１４】
これにより、ユーザは、付加情報を検出したことを映像と音声で認識することが可能になる。なお、音声案内手段は、確認実績の有無に関わらず、付加情報を検出したことを通知する。よって、ユーザは、確認実績を通知した後、検出手段が再び付加情報を検出した場合に音声でこれを知得することも可能である。
【００１５】
また上記情報処理装置は、前記付加情報の提供が可能である旨の提供案内を前記ユーザに通知すると共に、該付加情報の提供要求の通知を該ユーザに要求する第二要求手段と、前記提供要求を記憶する第二記憶手段と、前記第二要求手段を制御する第二制御手段と、前記付加情報を前記ユーザに提供する提供手段と、を更に備え、前記第二記憶手段が前記提供要求を記憶していない状態で前記検出手段が前記付加情報有りを検出すると、前記第二制御手段は、前記提供案内を通知し、前記提供要求の通知を要求するように前記第二要求手段を制御し、前記第二記憶手段は、前記ユーザから前記提供要求が通知されたら該提供要求を記憶し、前記提供手段は、前記ユーザから前記提供要求が通知されたら前記付加情報を提供し、前記第二記憶手段が前記提供要求を記憶している状態で前記検出手段が前記付加情報有りを検出すると、前記第二制御手段は、前記提供案内を通知しないように前記第二要求手段を制御し、前記提供手段は、前記付加情報を提供するようにしてもよい。
【００１６】
ユーザは、第二要求手段からの通知により、付加情報の提供を受けることが可能であるか否かを知得することが可能となる。この通知には、ユーザに対する付加情報の提供要求の通知の要求が含まれる。ここで、提供要求とは、ユーザから通知される情報であり、例えば、ユーザが付加情報の提供を必要としている場合に該ユーザが通知する情報である。第二記憶手段は、ユーザから提供要求が通知されると、これを記憶する。なお、第二要求手段は、第二制御手段によって制御される。
【００１７】
ここで、第二制御手段は、第二記憶手段に提供要求が記憶されていたら、付加情報を検出してもこれをユーザに通知しないように第二要求手段を制御する。なお、第二記憶手段に提供要求が記憶されている場合、提供手段は、ユーザへの付加情報の提供を行う。これにより、第二記憶手段に提供要求が記憶されている間、ユーザは、付加情報の提供を要求しなくても、付加情報の提供を受けることが可能になる。
【００１８】
ここで、前記第二記憶手段は、前記提供要求を記憶している状態で前記取得手段による前記コンテンツデータの取得がユーザ操作によって停止されると、記憶している該提供要求を消去するようにしてもよい。
【００１９】
ユーザの操作によってコンテンツデータの取得が停止され、再びコンテンツデータの取得が開始される場合に、ユーザが付加情報の提供を必要としていない場合がある。このような場合に付加情報が表示されることは煩わしい。そこで、コンテンツデータの取得が停止されたら第二記憶手段に記憶されている提供要求を消去する。これにより、コンテンツデータの取得が再開された場合に、付加情報の要否を選択することが可能になる。
【００２０】
また、前記コンテンツデータは、放送局から送信される放送番組の映像音声データであり、前記付加情報は、前記放送番組に付加されたデータ放送の情報であってもよい。
【００２１】
これによれば、ユーザは、放送局から付加的に放送されているデータ放送の存在を確認し、あるいは表示非表示を選択することが可能となる。
【発明の効果】
【００２２】
本発明によれば、付加情報の有無をユーザに認識させつつ、操作性の高い情報処理装置を提供することが可能となる。
【発明を実施するための最良の形態】
【００２３】
以下、本発明を実施するための最良の形態を例示的に説明する。なお、本発明に係る情報表示装置は、本実施形態において、車両に搭載する車載テレビジョン装置として適用されているが、本発明はこれに限定されるものでなく、ユーザに対して映像や音声、文字情報等の各種コンテンツを提供する、パーソナルコンピュータや家庭用テレビジョン受像機、携帯電話といった各種情報提供端末に適用することができる。
【００２４】
＜構成＞
図１は、本発明の一実施形態に係る車載テレビジョン装置１の構成を示す。図１に示すように、車載テレビジョン装置１は、車両２に搭載されており、メインユニット３、ディスプレイユニット４、テレビアンテナ５、パワーアンプ６、およびスピーカ７を備えている。
【００２５】
なお、ディスプレイユニット４は、運転者が画面を視認可能であり、且つ運転に必要な視界を妨げない位置に配置されている。また、ディスプレイユニット４は、液晶パネルを内蔵しており、メインユニット３から送られるビデオ信号を映像に変換して表示する。ま
た、テレビアンテナ５は、ＵＨＦ帯で放送される地上デジタル放送の電波を受信し、メインユニット３に送る。また、スピーカ７は、メインユニット３から送られるオーディオ信号を音に変換して出力する。なお、メインユニット３とスピーカ７との間には、パワーアンプ６が接続されており、メインユニット３から出力されるオーディオ信号がパワーアンプ６で増幅され、スピーカ７に送られる。
【００２６】
図２は、メインユニット３の内部構成を示す。図２に示すように、メインユニット３は、ＣＰＵ８（Central Processing Unit：本発明でいう、制御手段に相当する。）、ＲＡ
Ｍ９（Random Access Memory：本発明でいう、記憶手段に相当する。）、ＲＯＭ１０（Read Only Memory）、入出力インターフェース１１（本発明でいう、要求手段に相当する。）、チューナ１２（本発明でいう、取得手段に相当する。）、復調部１３、ＴＳデコーダ１４（ＴＳ：Transport Stream：本発明でいう、検出手段に相当する。）、音声デコーダ１５、映像デコーダ１６、及び音声読上げ処理部１７（本発明でいう、音声案内手段に相当する。）を備える。
【００２７】
ＣＰＵ８は、ＲＡＭ９やＲＯＭ１０のデータを参照したり、ＲＡＭ９にデータを書き込んだりすることが可能である。また、ＣＰＵ８は、入出力インターフェース１１を介して車両２の乗員からの操作を受け付けることが可能である。また、ＣＰＵ８は、チューナ１２、復調部１３、ＴＳデコーダ１４、音声デコーダ１５、映像デコーダ１６、及び音声読上げ処理部１７を制御することが可能である。なお、入出力インターフェース１１は、図示しない操作スイッチと接続されており、これらを介して乗員からの操作を受け付ける。
【００２８】
チューナ１２は、テレビアンテナ５と繋がっており、受信周波数を選択して地上デジタル放送波を増幅し、復調部１３に送る。
【００２９】
復調部１３は、チューナ１２で増幅された受信信号をトランスポートストリーム信号に復調する。
【００３０】
ＴＳデコーダ１４は、復調部１３で復調されたトランスポートストリーム信号から映像データおよび音声データを取得する。これら映像データや音声データは、本発明でいうコンテンツデータに相当する。なお、ＴＳデコーダ１４は、トランスポートストリーム信号にデータ放送の信号が重畳されていた場合、このデータ放送のデータ（以下、付加データという。なお、本発明でいう、付加情報に相当する。）を取得する。ＴＳデコーダ１４は、映像データを映像デコーダ１６に、音声データを音声デコーダ１５に、付加データをＣＰＵ８に送る。
【００３１】
映像デコーダ１６は、ＴＳデコーダ１４から送られる映像データやＣＰＵ８から送られる表示データからビデオ信号を生成し、ディスプレイユニット４に送る。なお、映像デコーダ１６は、ＣＰＵ８から知識画面やデータ放送の表示画面等の表示データを受け取ると、この表示データからビデオ信号を生成してディスプレイユニット４に送ったり、あるいは、ＴＳデコーダ１４から送られる映像データにＣＰＵ８から送られる表示データを付加したビデオ信号を生成してディスプレイユニット４に送ったりすることも可能である。
【００３２】
音声デコーダ１５は、ＴＳデコーダ１４や音声読上げ処理部１７から送られる音声データからオーディオ信号を生成し、生成したオーディオ信号をパワーアンプ６に送る。音声デコーダ１５は、ＣＰＵ８からの指令に応じてＴＳデコーダ１４と音声読上げ処理部１７の何れかの音声データを選択してオーディオ信号を生成したり、ＴＳデコーダ１４と音声読上げ処理部１７の音声データを合成したオーディオ信号を生成したりすることが可能である。
【００３３】
音声読上げ処理部１７は、ＣＰＵ８からの指令に応じて、ＣＰＵ８やＴＳデコーダ１４から送られたデータを音声で読み上げた音声データに変換する。すなわち、音声読上げ処理部１７は、文字または単語の音源データを有しており、この音源データを基に、ＣＰＵ８やＴＳデコーダ１４から送られるデータのテキストに対応する音声を生成し、音声データとして出力する。音声読上げ処理部１７は、生成した音声データを音声デコーダ１５に送る。
【００３４】
ＲＯＭ１０は、記憶保持動作が不要な読み出し専用メモリである。ＲＯＭ１０は、ユーザに通知する知識画面のデータ（本発明でいう、付加案内に相当する。）等が格納されている。
【００３５】
ＲＡＭ９は、記憶保持動作が必要な読み出し書き込みメモリである。よって、車載テレビジョン装置１が停止されると、ＲＡＭ９に記憶された情報は消去される。ＲＡＭ９は、ＣＰＵ８と繋がれており、ユーザが知識画面を確認した際にＣＰＵ８から通知される確認実績データが記憶される。なお、ＲＡＭ９は、確認実績データの他、ＣＰＵ８を動作させるためのプログラムや一時的なデータ等を記憶することも可能である。なお、ＲＡＭ９は、記憶保持動作が不要な読み出し書き込みメモリで構成することで、車載テレビジョン装置１が停止されても記憶した情報を保持するようにしてもよい。
【００３６】
＜処理フロー＞
次に、車載テレビジョン装置１の処理の流れについて説明する。図３において、車載テレビジョン装置１の処理フロー図を示す。以下、図３に示すフロー図に沿って、車載テレビジョン装置１の処理の流れを説明する。
【００３７】
（ステップＳ１０１）車両２のアクセサリー電源、または主電源がＯＮになると車載テレビジョン装置１に動作電源が供給され、地上デジタル放送波の受信が開始される。すなわち、車載テレビジョン装置１に動作電源が供給されると、チューナ１２によって地上デジタル放送波の受信信号が増幅され、復調部１３に送られる。そして、受信信号は、復調部１３でトランスポートストリーム信号に復調され、ＴＳデコーダ１４で映像データや音声データ、付加データ等が抽出される。
【００３８】
（ステップＳ１０２）ここで、ＣＰＵ８は、ＴＳデコーダ１４で付加データが抽出されているか否かを確認する。ＣＰＵ８は、ＴＳデコーダ１４で付加データが抽出されていなければ、ステップＳ１０３に移行し、映像データや音声データを表示する。また、ＣＰＵ８は、ＴＳデコーダ１４で付加データが抽出されていれば、ステップＳ１０４に移行し、ＲＡＭ９を照会する。
【００３９】
（ステップＳ１０３）ＣＰＵ８は、ＴＳデコーダ１４で付加データが抽出されていなければ、映像デコーダ１６に地上デジタル放送の映像データをビデオ信号に変換させ、音声デコーダ１５に音声データをオーディオ信号に変換させる。これにより、地上デジタル放送の映像がディスプレイユニット４に表示され、音声がスピーカ７から出力される。本ステップが実行されると、一連の処理が完了する。
【００４０】
（ステップＳ１０４）ＣＰＵ８は、ＴＳデコーダ１４で付加データが抽出されると、ＲＡＭ９を照会して確認実績データの有無を確認する。ＣＰＵ８は、ＲＡＭ９に確認実績データが蓄積されていれば、ステップＳ１０５に移行して音声案内を読み上げ、ステップＳ１０３に処理を移行する。また、ＣＰＵ８は、ＲＡＭ９に確認実績データが蓄積されていなければ、ステップＳ１０６に処理を移行し、知識画面を出力する。
【００４１】
（ステップＳ１０５）ＣＰＵ８は、ＲＡＭ９に確認実績データが蓄積されていれば、Ｒ
ＯＭ１０から知識画面のデータを抽出し、この知識画面の内容を示すテキストデータを音声読上げ処理部１７に送る。これにより、テキストデータが音声読上げ処理部１７で音声データに変換され、音声デコーダ１５でオーディオ信号に変換され、パワーアンプ６を介してスピーカ７から出力される。
【００４２】
（ステップＳ１０６）ＣＰＵ８は、ＲＡＭ９に確認実績データが蓄積されていなければ、ＲＯＭ１０から知識画面のデータを抽出し、この知識画面の表示内容を示す映像データを映像デコーダ１６に送る。これにより、知識画面の表示内容を示す映像データが映像デコーダ１６でビデオ信号に変換され、ディスプレイユニット４に知識画面として表示される。図４に、このとき表示される知識画面の一例を示す。図４において示すように、ディスプレイユニット４に、データ放送が存在している旨の通知（付加案内）および、この情報を確認した旨の通知（確認実績の通知）を要求する確認ボタンが表示されている。この確認ボタンが押されると、入出力インターフェース１１を介してＣＰＵ８に確認ボタンが押された旨（確認実績）が伝達される。ＣＰＵ８は、確認ボタンが押されると、確認実績データをＲＡＭ９に記憶する。
【００４３】
なお、本ステップが実行されることにより、放送が途切れたり受信チャンネルが変更されたりして新たな付加情報を検出しても、知識画面が表示されないようになる。
【００４４】
（ステップＳ１０７）ＣＰＵ８は、ステップＳ１０６が完了して知識画面を表示したのち、この知識画面のテキストデータを音声で出力する。なお、本ステップの処理内容はステップＳ１０５と同様なので、処理内容の説明を省略する。本ステップが実行されると、一連の処理が完了する。
＜効果＞
以上により、本実施形態に係る車載テレビジョン装置１によれば、データ放送を取得したことをユーザが確認すれば、この確認実績が記憶されている間に再びデータ放送を取得しても、データ放送を受信した旨の知識画面が表示されることが無くなる。これにより、例えば受信チャンネルを切り替えたりする度に知識画面が表示されることが無くなり、ユーザの操作性を高めることが可能になる。通常、車載用のテレビジョン装置は表示面積が限られるため、知識画面が表示されると他の情報の表示が大きく妨げられる。しかしながら、本実施形態に係る車載テレビジョン装置１であれば、知識画面の表示が制限されるので、ユーザの操作性等を飛躍的に改善することが可能となる。
【００４５】
＜変形例＞
以下、上記実施形態に係る車載テレビジョン装置１の変形例を説明する。本変形例は、データ放送の表示非表示の選択を可能とする点で、上記実施形態と相違する。なお、以下、上記実施形態に係る車載テレビジョン装置１との相違点のみ説明する。
【００４６】
図５において、本変形例に係る車載テレビジョン装置１の処理フロー図を示す。上記実施形態に係る車載テレビジョン装置１と同様の処理については同一の符号を付し、その詳細な説明を省略する。
【００４７】
（ステップＳ２０１）ステップＳ１０４においてＲＡＭ９に確認実績データが蓄積されていないことが確認されると、ＣＰＵ８は、ＲＡＭ９を照会して提供要求データの有無を確認する。ＣＰＵ８は、ＲＡＭ９に確認実績データが蓄積されていれば、ステップＳ２０４に移行して地上デジタル放送の映像にデータ放送のテキストデータを付加し、画面に出力する。一方、ＣＰＵ８は、ＲＡＭ９に確認実績データが蓄積されていなければ、ステップＳ２０２に移行して知識画面を表示する。
【００４８】
（ステップＳ２０２）ＣＰＵ８は、ＲＯＭ１０から知識画面のデータを抽出し、この知
識画面の表示内容を示す映像データを映像デコーダ１６に送る。ここで、上記実施形態では、知識画面に確認ボタンのみが表示されていたが（図４）、本変形例では、図６において示すように、確認ボタンと共に操作ボタンが表示される。この操作ボタンはデータ放送の表示を要求する時に押すものであり、これが押されると入出力インターフェース１１を介してＣＰＵ８にその旨（提供要求）が伝達される。ＣＰＵ８は、操作ボタンが押されると、提供要求データをＲＡＭ９に記憶する。本ステップが終了すると、ステップＳ１０７に移行する。
【００４９】
（ステップＳ２０３）ステップＳ１０７で音声が読み上げられると、ＣＰＵ８は、ＲＡＭ９を照会して提供要求データの有無を確認し、ステップＳ２０２で表示した操作ボタンが押されているか否かを確認する。ＣＰＵ８は、ＲＡＭ９に確認実績データが蓄積されていれば、ステップＳ２０４に移行して地上デジタル放送の映像にデータ放送のテキストデータを付加した画面を出力する。一方、ＣＰＵ８は、ＲＡＭ９に確認実績データが蓄積されていなければ、ステップＳ１０３に移行して地上デジタル放送のみを表示する。
【００５０】
（ステップＳ２０４）ＣＰＵ８は、ＴＳデコーダ１４から取得した付加データを映像デコーダ１６に送る。そして、ＣＰＵ８は、映像デコーダ１６にＴＳデコーダ１４から送られる地上デジタル放送の映像データと付加データとを重畳させ、地上デジタル放送の映像にデータ放送のテキストデータを付加した画像のビデオ信号を出力させる。これにより、地上デジタル放送の映像とデータ放送のテキストデータとがディスプレイユニット４に表示される。本ステップが実行されると、一連の処理が完了する。
【００５１】
本変形例によれば、データ放送の提供要求をユーザが設定すれば、この提供要求が記憶されている間に再びデータ放送を取得しても、データ放送の要否を確認する旨の知識画面が表示されることが無くなる。これにより、ユーザの操作性を高めることが可能になる。その他の効果については、上述した実施形態と同様である。
【図面の簡単な説明】
【００５２】
【図１】車載テレビジョン装置の構成図。
【図２】メインユニットの内部構成図。
【図３】車載テレビジョン装置の処理フロー図。
【図４】車載テレビジョン装置が表示する知識画面の一例を示す図。
【図５】変形例に係る車載テレビジョン装置の処理フロー図。
【図６】変形例に係る車載テレビジョン装置が表示する知識画面の一例を示す図。
【符号の説明】
【００５３】
１・・・・・・・・・・・・・車載テレビジョン装置
２・・・・・・・・・・・・・車両
３・・・・・・・・・・・・・メインユニット
４・・・・・・・・・・・・・ディスプレイユニット
５・・・・・・・・・・・・・テレビアンテナ
６・・・・・・・・・・・・・パワーアンプ
７・・・・・・・・・・・・・スピーカ
８・・・・・・・・・・・・・ＣＰＵ
９・・・・・・・・・・・・・ＲＡＭ
１０・・・・・・・・・・・・・ＲＯＭ
１１・・・・・・・・・・・・・入出力インターフェース
１２・・・・・・・・・・・・・チューナ
１３・・・・・・・・・・・・・復調部
１４・・・・・・・・・・・・・ＴＳデコーダ
１５・・・・・・・・・・・・・音声デコーダ
１６・・・・・・・・・・・・・映像デコーダ
１７・・・・・・・・・・・・・音声読上げ処理部
【図１】
2008271209.tif 000003
【図２】
2008271209.tif 000004
【図３】
2008271209.tif 000005
【図４】
2008271209.tif 000006
【図５】
2008271209.tif 000007
【図６】
2008271209.tif 000008